(57)【要約】  本発明の目的の一つは、エネルギー効率の向上と耐熱性能の向上とを両立させることが可能な金型ユニット、ブロー成形装置、およびブロー成形方法を提供することである。  プリフォーム（５）を第一温度で熱処理ブローする第一工程を実行するための第一金型部（５２）と、熱処理ブローによりブロー成形された中間成形体を、第一温度より低い第二温度でブロー成形して容器を製造する第二工程を実行するための第二金型部（５６）と、有し、第一金型部（５２）と第二金型部（５６）とが隣接して配置されている。
2017073685.tif 000002
【特許請求の範囲】
【請求項１】
プリフォームを第一温度で熱処理ブローする第一工程を実行するための第一金型部と、  前記熱処理ブローによりブロー成形された中間成形体を前記第一温度より低い第二温度でブロー成形して、容器を製造する第二工程を実行するための第二金型部と、  有し、  前記第一金型部と前記第二金型部とが隣接して配置されている、  金型ユニット。
【請求項２】
前記第一金型部と前記第二金型部とが一体的にスライド移動可能な移動空間を有するとともに、前記第一工程および前記第二工程の際に前記移動空間内に前記第一金型部および前記第二金型部を収容する収容ユニットを、を備える、  請求項１に記載の金型ユニット。
【請求項３】
前記第一金型部は、前記プリフォームが配置される第一空間を規定する第一内壁面を有し、  前記第二金型部は、前記中間成形体が配置される第二空間を規定する第二内壁面を有する、  請求項１または請求項２に記載の金型ユニット。
【請求項４】
前記第一空間は前記第二空間より大きい、  請求項３に記載の金型ユニット。
【請求項５】
前記第一金型部と前記第二金型部とがスライドする方向と直交する上下方向に沿って底型が昇降可能である、  請求項１から請求項４のいずれか一項に記載の金型ユニット。
【請求項６】
樹脂製の有底のプリフォームを製造する射出成形ユニットと、  前記射出成形ユニットで製造されたプリフォームを第一温度で熱処理ブローする第一工程を実行するための第一金型部と、前記熱処理ブローによりブロー成形された中間成形体を前記第一温度より低い第二温度でブロー成形して、容器を製造する第二工程を実行するための第二金型部と、有する連続ブロー成形ユニットと、  を備え、  前記連続ブロー成形ユニットにおいて、前記第一金型部と前記第二金型部とが隣接して配置されている、  ブロー成形装置。
【請求項７】
前記射出成形ユニットで製造された前記プリフォームを均等な温度分布に近付けるための温調処理を行なう温調ユニットを、備え、  前記連続ブロー成形ユニットは、前記温調ユニットで前記温調処理が実行された前記プリフォームに対して前記熱処理ブローを行なう、  請求項６に記載のブロー成形装置。
【請求項８】
前記連続ブロー成形ユニットは、    前記第一工程において前記プリフォームを支持し、前記第二工程において前記中間成形体を支持する支持部と、    前記第一工程において前記支持部に支持された前記プリフォームが配置されるとともに前記第一工程の前記熱処理ブローで使用される第一内壁面で構成される第一空間と、前記第二工程において前記支持部に支持された前記中間成形体が配置されるとともに、前記第二工程のブロー成形で使用される第二内壁面で構成される第二空間と、を有する金型ユニットと、    前記支持部と前記金型ユニットとを相対的に移動させることが可能な移動ユニットと、  を有し、  前記第一金型部は前記第一内壁面を有し、  前記第二金型部は前記第二内壁面を有する、  請求項６または請求項７に記載のブロー成形装置。
【請求項９】
前記第一空間は前記第二空間より大きい、  請求項８に記載のブロー成形装置。
【請求項１０】
前記第一工程において前記支持部が前記プリフォームを支持する位置と、前記第二工程において前記支持部が前記中間成形体を支持する位置とは同じであり、  前記移動ユニットは、前記第一工程の後、前記第二空間に前記中間成形体が配置されるように前記金型ユニットをスライド移動させる、  請求項８または請求項９に記載のブロー成形装置。
【請求項１１】
前記金型ユニットが前記移動ユニットによりスライド移動可能な移動空間を有するとともに、前記第一工程および前記第二工程の際に前記移動空間内に前記金型ユニットを収容する収容ユニットを、備える、  請求項８から請求項１０のいずれか一項に記載のブロー成形装置。
【請求項１２】
前記収容ユニットは、前記第一工程および前記第二工程の際の前記金型ユニットの位置を位置決めする位置決め部を、有する、  請求項１１に記載のブロー成形装置。
【請求項１３】
底型を前記第一金型部と前記第二金型部とがスライドする方向と直交する上下方向に沿って昇降させる昇降装置を備える、  請求項６から請求項１２のいずれか一項に記載のブロー成形装置。
【請求項１４】
樹脂製の有底のプリフォームを射出成形する射出成形工程と、  前記射出成形の工程で製造されたプリフォームを第一温度で熱処理ブローする第一工程と、前記熱処理ブローによりブロー成形された中間成形体を、前記第一温度より低い第二温度でブロー成形して容器を製造する第二工程と、を別々に連続して行なう連続ブロー工程と、を含む、ブロー成形方法。
【請求項１５】
前記射出成形工程の後、前記射出成形工程で製造された前記プリフォームを均等な温度分布に近付けるための温調処理を行なう温調工程を、含み、  前記連続ブロー工程の前記第一工程では、前記温調工程で前記温調処理が実行された前記プリフォームに対して前記熱処理ブローを行なう、  請求項１４に記載のブロー成形方法。
【発明の詳細な説明】
【技術分野】
【０００１】  本発明は、樹脂製容器の金型ユニット、ブロー成形装置、およびブロー成形方法に関するものである。
【背景技術】
【０００２】  ブロー成型装置は、大別してコールドパリソン方式（２ステージ方式とも称される）と称される方式と、ホットパリソン方式（１ステージ方式とも称される）と称される方式とがある。【０００３】  現在、耐熱性能の高いペットボトルを製造する場合には、２ステージ方式が採用された装置が使用されることが多い（特許文献１参照）。２ステージ方式の装置では、プリフォーム製造のための射出成形装置と、ブロー成形装置とがオフラインの状態で接続される。このため、射出成形装置で製造されたプリフォームは、一旦は室温まで自然冷却されて所定の場所にストックされた後、ブロー成形装置に供給される。【０００４】  また、１ステージ方式が採用された装置では、ペットボトルに耐熱性を付与させる手法も提案されている（特許文献２参照）。
【先行技術文献】
【特許文献】
【０００５】
【特許文献１】日本国特許第５５０３７４８号公報
【特許文献２】日本国特公平６−４７２６９号公報
【発明の概要】
【発明が解決しようとする課題】
【０００６】  上述の２ステージ方式の装置では、耐熱性の高いペットボトルを製造できるものの、プリフォームを一旦自然冷却した後にブロー適温まで加熱部で加熱する必要があるため、エネルギー効率が低いものであった。【０００７】  一方、上述の１ステージ方式の装置では、プリフォームを室温まで冷却させないため、１ステージ方式の手法と比較してエネルギー効率は高いものの、２ステージ方式と比較して、十分な耐熱性能を得ることができなかった。【０００８】  そこで、本発明は、エネルギー効率の向上と耐熱性能の向上とを両立させることが可能な金型ユニット、ブロー成形装置、およびブロー成形方法を提供することを目的とする。
【課題を解決するための手段】
【０００９】  上記目的を達成するために、本発明の金型ユニットは、  プリフォームを第一温度で熱処理ブローする第一工程を実行するための第一金型部と、  前記熱処理ブローによりブロー成形された中間成形体を前記第一温度より低い第二温度でブロー成形して、容器を製造する第二工程を実行するための第二金型部と、  有し、  前記第一金型部と前記第二金型部とが隣接して配置されている。【００１０】  この構成によれば、第一金型部と第二金型部とが別々に規定されているため、熱処理ブローを行なう第一工程を、次に連続して実行される第二工程とは独立して実行することができる。このため、第一工程の熱処理ブローで使用する第一温度を、第二工程で使用する第二温度よりも高い温度、例えば樹脂の結晶化を促進させる温度に設定することができ、十分な耐熱性が付与された容器を得ることができる。また、第一金型部と第二金型部とが隣接して配置されているため、第一工程と第二工程とを連続して実行することができ、中間成形体に対して温調等の処理をする必要が無く、エネルギー効率を向上させることができる。  以上のように、上記構成によれば、エネルギー効率の向上と耐熱性能の向上とを両立させることが可能な金型ユニットを提供することができる。【００１１】  また、本発明の金型ユニットにおいて、  前記第一金型部と前記第二金型部とが一体的にスライド移動可能な移動空間を有するとともに、前記第一工程および前記第二工程の際に前記移動空間内に前記第一金型部および前記第二金型部を収容する収容ユニットを、備えることが好ましい。【００１２】  この構成によれば、プリフォームを第一温度で熱処理ブローする第一工程と、中間成形体を第二温度でブロー成形して容器を製造する第二工程とを別々にスムーズに連続して行なうことができるとともに、第一金型部および第二金型部を収容ユニットによって外部から保護することができる。また、互いに独立した第一金型部と第二金型部とを収容ユニットで一体化しているため同時に運搬することができ、金型交換時の脱着作業が容易化される。【００１３】  また、本発明の金型において、  前記第一金型部は、前記プリフォームが配置される第一空間を規定する第一内壁面を有し、  前記第二金型部は、前記中間成形体が配置される第二空間を規定する第二内壁面を有することが好ましい。【００１４】  この構成によれば、プリフォームを第一温度で熱処理ブローする第一工程と、中間成形体を第二温度でブロー成形して容器を製造する第二工程とを別々にスムーズに連続して行なうことができる。【００１５】  また、本発明の金型ユニットにおいて、  前記第一空間は前記第二空間より大きいことが好ましい。【００１６】  この構成によれば、熱処理ブローの際に、熱処理ブロー後の収縮も考慮して、プリフォームを大きめにブロー成形することができる。よって、最終成形品（容器）に残存する残留応力（延伸配向により生ずるヒズミ）を小さくすることができる。【００１７】  また、本発明の金型ユニットにおいて、  前記第一金型部と前記第二金型部とがスライドする方向と直交する上下方向に沿って底型が昇降可能でも良い。【００１８】  また、本発明のブロー成形装置は、  樹脂製の有底のプリフォームを製造する射出成形ユニットと、  前記射出成形ユニットで製造されたプリフォームを第一温度で熱処理ブローする第一工程を実行するための第一金型部と、前記熱処理ブローによりブロー成形された中間成形体を前記第一温度より低い第二温度でブロー成形して、容器を製造する第二工程を実行するための第二金型部と、有する連続ブロー成形ユニットと、  を備え、  前記連続ブロー成形ユニットにおいて、前記第一金型部と前記第二金型部とが隣接して配置されている。【００１９】  この構成によれば、射出成形ユニットで製造されたプリフォームが、室温まで冷却されることなく熱処理ブローされるため、プリフォームをブロー適温まで再加熱するエネルギーを要さない。このため、エネルギー効率を向上させることができる。また、第一金型部と第二金型部とが別々に規定されているため、熱処理ブローを行なう第一工程を、次に連続して実行される第二工程とは独立して実行することができる。このため、第一工程の熱処理ブローで使用する第一温度を、第二工程で使用する第二温度よりも高い温度、例えば樹脂の結晶化を促進させる温度に設定することができ、十分な耐熱性が付与された容器を得ることができる。また、第一金型部と第二金型部とが隣接して配置されているため、第一工程と第二工程とを連続して実行することができ、中間成形体に対して温度低下を回避するための温調等の処理をする必要が無く、エネルギー効率を向上させることができる。  以上のように、上記構成によれば、エネルギー効率の向上と耐熱性能の向上とを両立させることが可能なブロー成形装置を提供することができる。【００２０】  また、本発明のブロー成形装置において、  前記射出成形ユニットで製造された前記プリフォームを均等な温度分布に近付けるための温調処理を行なう温調ユニットを、備え、  前記連続ブロー成形ユニットは、前記温調ユニットで前記温調処理が実行された前記プリフォームに対して前記熱処理ブローを行なうことが好ましい。【００２１】  射出成形ユニットで製造された直後のプリフォームでは、射出時の熱の影響で、プリフォーム上の温度分布に偏りがあることがある。  上記構成によれば、射出成形されたプリフォームに対して温調処理を行ない、温調処理後のプリフォームに対して熱処理ブローが行なわれるため、中間成形体や最終の容器上において生じ得る偏温を小さくすることができ偏肉が生じにくくなる。このため、さらに安定した耐熱性を得ることができる。【００２２】  また、本発明のブロー成形装置において、  前記連続ブロー成形ユニットは、    前記第一工程において前記プリフォームを支持し、前記第二工程において前記中間成形体を支持する支持部と、    前記第一工程において前記支持部に支持された前記プリフォームが配置されるとともに前記第一工程の前記熱処理ブローで使用される第一内壁面で構成される第一空間と、前記第二工程において前記支持部に支持された前記中間成形体が配置されるとともに、前記第二工程のブロー成形で使用される第二内壁面で構成される第二空間と、を有する金型ユニットと、    前記支持部と前記金型ユニットとを相対的に移動させることが可能な移動ユニットと、  を有し、  前記第一金型部は前記第一内壁面を有し、  前記第二金型部は前記第二内壁面を有することが好ましい。【００２３】  この構成によれば、プリフォームを第一温度で熱処理ブローする第一工程と、中間成形体を第二温度でブロー成形して容器を製造する第二工程とを別々にスムーズに連続して行なうことができる。【００２４】  また、本発明のブロー成形装置において、  前記第一空間は前記第二空間より大きいことが好ましい。【００２５】  この構成によれば、熱処理ブローの際に、熱処理ブロー後の収縮も考慮して、プリフォームを大きめにブロー成形することができる。【００２６】  また、本発明のブロー成形装置において、  前記第一工程において前記支持部が前記プリフォームを支持する位置と、前記第二工程において前記支持部が前記中間成形体を支持する位置とは同じであり、  前記移動ユニットは、前記第一工程の後、前記第二空間に前記中間成形体が配置されるように前記金型ユニットをスライド移動させることが好ましい。【００２７】  この構成によれば、プリフォームを第一温度で熱処理ブローする第一工程と、中間成形体を第二温度でブロー成形して容器を製造する第二工程とを別々にさらにスムーズに連続して行なうことができる。【００２８】  また、本発明のブロー成形装置は、  前記金型ユニットが前記移動ユニットによりスライド移動可能な移動空間を有するとともに、前記第一工程および前記第二工程の際に前記移動空間内に前記金型ユニットを収容する収容ユニットを、備えることが好ましい。【００２９】  この構成によれば、金型ユニットが収容ユニットによって外部から保護される。【００３０】  また、本発明のブロー成形装置において、  前記収容ユニットは、前記第一工程および前記第二工程の際の前記金型ユニットの位置を位置決めする位置決め部を、有することが好ましい。【００３１】  この構成によれば、金型ユニットの位置が精度よく位置決めされるため、各工程において位置ずれに起因する不具合が発生しにくくなる。【００３２】  また、本発明のブロー成形装置は、  底型を前記第一金型部と前記第二金型部とがスライドする方向と直交する上下方向に沿って昇降させる昇降装置を備えても良い。【００３３】  また、本発明のブロー成形方法は、  樹脂製の有底のプリフォームを射出成形する射出成形工程と、  前記射出成形の工程で製造されたプリフォームを第一温度で熱処理ブローする第一工程と、前記熱処理ブローによりブロー成形された中間成形体を、前記第一温度より低い第二温度でブロー成形して容器を製造する第二工程と、を別々に連続して行なう連続ブロー工程と、を含む。【００３４】  この方法によれば、第一金型部と第二金型部とが別々に規定されているため、熱処理ブローを行なう第一工程を、次に連続して実行される第二工程とは独立して実行することができる。このため、第一工程の熱処理ブローで使用する第一温度を、第二工程で使用する第二温度よりも高い温度、例えば樹脂の結晶化を促進させる温度に設定することができ、十分な耐熱性が付与された容器を得ることができる。また、第一金型部と第二金型部とが隣接して配置されているため、第一工程と第二工程とを連続して実行することができ、中間成形体に対して温度低下を回避するための温調等の処理をする必要が無く��エネルギー効率を向上させることができる。  以上のように、上記構成によれば、エネルギー効率の向上と耐熱性能の向上とを両立させることが可能なブロー成形方法を提供することができる。【００３５】  また、本発明のブロー成形方法は、  前記射出成形工程の後、前記射出成形工程で製造された前記プリフォームを均等な温度分布に近付けるための温調処理を行なう温調工程を、含み、  前記連続ブロー工程の前記第一工程では、前記温調工程で前記温調処理が実行された前記プリフォームに対して前記熱処理ブローを行なうことが好ましい。【００３６】  射出成形ユニットで製造された直後のプリフォームでは、射出時の熱の影響で、プリフォーム上の温度分布に偏りがあることがある。  上記方法によれば、射出成形されたプリフォームに対して温調処理を行ない、温調処理後のプリフォームに対して熱処理ブローが行なわれるため、中間成形体や最終の容器上において生じ得る偏温を小さくすることができ偏肉が生じにくくなる。このため、さらに安定した耐熱性を得ることができる。
【発明の効果】
【００３７】  本発明によれば、エネルギー効率の向上と耐熱性能の向上とを両立させることが可能な金型ユニット、ブロー成形装置、およびブロー成形方法を提供することができる。
【図面の簡単な説明】
【００３８】
【図１】本発明に係るブロー成形装置のブロック図である。
【図２】（ａ）〜（ｃ）は、ブロー成形装置における連続ブロー成形ユニットの構成を示す図である。
【図３】（ａ）は図２（ｂ）のＡ−Ａ線における断面図、（ｂ）は図２（ｃ）のＢ−Ｂ線における断面図である。
【図４】本発明に係るブロー成形方法を説明するフローチャートである。
【図５】ブロー成形方法における待期状態から熱処理ブローまでの各工程を示す図である。
【図６】ブロー成形方法における熱処理ブロー後の型開きから最終ブロー前の型締めまでの各工程を示す図である。
【図７】ブロー成形方法における最終ブローからブロー成形終了までの各工程を示す図である。
【図８】（ａ）〜（ｃ）は底型を昇降させる機構を説明する図である。
【図９】（ａ）〜（ｃ）は、連結部分の拡大図である。
【図１０】（ａ）、（ｂ）は、変形例の連結部分の拡大図である。
【図１１】（ａ）〜（ｄ）は底型を昇降させる機構を説明する図である。
【図１２】（ａ）〜（ｃ）は連続ブロー成形ユニットの変形例を示す図である。
【発明を実施するための形態】
【００３９】  以下、本実施形態の一例について、図面を参照して説明する。  先ず、図１、図２を参照して、ブロー成形装置について説明する。  ブロー成形装置１は、プリフォームを製造するための射出成形ユニット（射出成形部）１０と、製造されたプリフォームの温度を調整するための温調ユニット（温調部）１５とを備えている。射出成形ユニット１０には、容器の原材料である樹脂を供給する射出装置１２が接続されている。また、ブロー成形装置１は、プリフォームをブローして容器を製造するための連続ブロー成形ユニット（ブロー成形部）２０と、製造された容器を取り出すための取り出しユニット（取出し部）２５とを備えている。よって、全体としては、１ステージ式のブロー成形装置の構成になっている。
【００４０】  射出成形ユニット１０と温調ユニット１５と連続ブロー成形ユニット２０と取り出しユニット２５とは、搬送手段３０を中心として所定角度（本例では９０度）ずつ回転した位置に設けられている。搬送手段３０は回転板３１等で構成されている。回転板３１にはネック型固定板３２と、Ｌ字状ガイドレール３３とが設置されている。回転板３１にはネック型固定板３２を介してネック型（ネック割型）３４が取付けられている。射出成形ユニット１０で製造されたプリフォームまたは連続ブロー成形ユニット２０で製造された容器は、その口部がネック型３４に支持されて、回転板３１の回転に伴って各部に搬送される。
【００４１】  射出成形ユニット１０は、図示を省略する射出キャビティ型、射出コア型、ネック型等を備えている。これらの型が型締めされることで形成されるプリフォーム形状の空間内に、射出装置１２から樹脂材料を流し込むことにより、有底筒状のプリフォームが製造されるように構成されている。
【００４２】  温調ユニット１５は、射出成形ユニット１０で製造されたプリフォームの温度を、プリフォーム全体において均等な温度分布となるように温度調整を行うように構成されている。また、温調ユニット１５は、プリフォームを延伸ブローするための適した温度（例えば約９０〜１００℃）に調整するように構成されている。例えば、プリフォームを温調ポット内に配置し、プリフォームの口部に嵌入した温調ブローコア型からブロー圧を導入する。導入したブロー圧によりプリフォームを予備ブローさせて温調ポット内面に接触させ、プリフォームをブロー適温に調整する。また、予備ブローを行わずに、単に温調（加熱）ブローコア型や温調（加熱）ポットから発せられる熱により、非接触状態でプリフォームを温度調整する方式でも構わない。
【００４３】  連続ブロー成形ユニット２０は、温調ユニット１５で温度調整されたプリフォームに対して、後述する熱処理ブローと最終ブローとを行うことにより、樹脂製の容器を製造するように構成されている。
【００４４】  取り出しユニット２５は、連続ブロー成形ユニット２０で製造された容器のネック部をネック型３４から開放して、容器をブロー成形装置１の外部へ取り出すように構成されている。
【００４５】  次に、図２，図３を参照して、連続ブロー成形ユニット２０について詳述する。  図２（ａ）は、連続ブロー成形ユニット２０内にプリフォーム５が配置されている状態を示している。また、図２（ｂ），（ｃ）は、連続ブロー成形ユニット２０を後方側から見た図であり、（ｂ）は金型を開いた状態、（ｃ）は金型を閉じた状態を示す。また、図３（ａ）は図２（ｂ）のＡ−Ａにおける断面図、３（ｂ）は図２（ｃ）のＢ−Ｂにおける断面図を示す。
【００４６】  連続ブロー成形ユニット２０は、プリフォーム等を支持する支持部４０と、割型からなる金型ユニット５０と、金型ユニット５０を移動させる移動ユニット６０と、金型ユニット５０を収容する収容ユニット７０とを備えている。また、収容ユニット７０は、ブロー成形装置１の型締め装置（図示無し）と開閉可能に連結されている。
【００４７】  支持部４０は、一対の割型からなるネック型３４を備えている。ネック型３４は、プリフォーム５のネック部を支持しており、一対のネック型固定板３２に保持されている。ネック型固定板３２は、回転板３１の下面に固定されたＬ字状ガイドレール３３に開閉自在に支持されている。ブローコア型３５（図５参照）は、回転板３１の上方に昇降自在に支持されている。ブローコア型３５は、プリフォーム５の口部に嵌入し、ブローエアーをプリフォーム５内に導入することでプリフォーム５を中間成形体にブロー成形する。また、回転板３１の上方には、延伸ロッド３６（図５参照）が設置されている。延伸ロッド３６は、ロッド駆動部の制御によりロッドのストロークが調整可能に構成されている。このように、支持部４０は、例えば、昇降可能に構成されており、プリフォーム５またはブロー成形した中間成形体を金型ユニット５０に対して出し入れする。なお、ブローコア型３５と延伸ロッド３６は、後述の第一金型５２と第二金型５６とで共用される。
【００４８】  金型ユニット５０は、プリフォーム５を熱処理ブロー（ヒートセットを伴う一次ブロー）して中間成形体をブロー成形するための第一金型部５２と、中間成形体をブロー（最終ブロー（アニーリングと最終的な容器形状への賦形処理を伴う２次ブロー））して容器をブロー成形するための第二金型部５６とを有する。第一金型部５２と第二金型部５６とは、金型ユニット５０内において隣接して配置されている。
【００４９】  第一金型部５２は、第一内壁面５４で構成される第一空間５３を有しており、第一空間５３内には支持部４０に支持されたプリフォーム５が配置される。第二金型部５６は、第二内壁面５８で構成される第二空間５７を有しており、第二空間５７内には支持部４０に支持された中間成形体が配置される。第一金型部５２の第一空間５３の大きさは、第二金型部５６の第二空間５７よりも大きく形成されている。第一金型部５２の第一内壁面５４は、凹凸の少ない壁面で構成されており、第二金型部５６の第二内壁面５８は、容器の外周壁を形成するための凹凸を有した壁面で構成されている。
【００５０】  金型ユニット５０には図示を省略する加熱装置や温調装置が設けられており、第一金型部５２および第二金型部５６をそれぞれ温度調節できるように構成されている。第一金型部５２の第一内壁面５４は、プリフォーム５を熱処理ブローするための第一温度（例えば170〜190℃）に温度調節される。第二金型部５６の第二内壁面５８は、中間成形体を最終ブローするための第二温度（例えば110〜120℃）に温度調節される。第一温度は、樹脂の延伸のし易さや、金型の内壁面との接触による温度低下を考慮して、製造される容器の樹脂材料（例えばポリエチレンテレフタレート）の結晶化が促進されやすい温度（例えば130〜140℃）より高めに設定されており、第二温度は、第一温度よりも低い温度に設定されている。
【００５１】  金型ユニット５０の裏側（図３において左側と右側）には、収容ユニット７０の壁面に沿って配置される可動板６６が設けられている。可動板６６には図示を省略する例えば滑車等が取り付けられており、収容ユニット７０の壁面に沿ってスムーズに移動できるように構成されている。金型ユニット５０は、可動板６６の表側に取り付けられている。金型ユニット５０の下側にあたる可動板６６の表面は、第一金型部５２用の底型６２と、第二金型部５６用の底型６３が取り付けられている。底型６２は第一金型部５２に対して、６３は第二金型部５６に対してそれぞれ昇降可能に構成されている。なお、後述するように、金型ユニット５０を開いた状態のとき、底型６２、６３は可動板６６と一体でスライド移動させられるため、底型６２、６３を昇降駆動させるブロー成形装置１の昇降装置（図示なし）に常態で固定させることはできない。よって、底型６２、６３（もしくはそれらを一体化させた底型固定板（図示なし））の下面には、金型ユニット５０が閉じた状態のときのみ昇降装置と連結できる機構を設けている。この昇降装置については、後述する。
【００５２】  移動ユニット６０は、金型ユニット５０の側面（本例では後側側面）に取り付けられており、連続ブロー成形ユニット２０に対して金型ユニット５０を前後方向へ移動させることができるように構成されている。移動ユニット６０は、例えば油圧シリンダやエアシリンダで構成されており、金型ユニット５０にその先端が固定されたシリンダロッドを伸び縮みさせることで金型ユニット５０の位置を制御している。移動ユニット６０の制御により、移動ユニット６０に固定されている金型ユニット５０および底型６２，６３がシリンダロッドの動きと同方向へ移動するようになっている。これにより、支持部４０と金型ユニット５０とを相対的に移動させることができるように構成されている。よって、連続ブロー成形ユニット（ブロー成形部）２０において支持部４０で保持されたプリフォームに対し、熱処理ブロー成形と最終ブロー成形とを実施可能に構成されている。
【００５３】  収容ユニット７０は、金型ユニット５０を囲うように構成されており、可動板６６の裏側（図３において左側と右側）に設けられる側壁部７２と、側壁部７２の両端に設けられる位置決め部７３とを有する。側壁部７２は、金型ユニット５０が取り付けられている可動板６６の可動方向および可動領域を規定する。位置決め部７３は、可動板６６に取り付けられている金型ユニット５０の移動端を規定することで、上記熱処理ブロー時および最終ブロー時における金型ユニット５０の位置を位置決めする。収容ユニット７０は、側壁部７２と位置決め部７３とで形成される空間７５を有する。空間７５は、金型ユニット５０がスライド移動可能な移動空間を構成している。
【００５４】  次に、図４〜図７を参照して、ブロー成形方法について説明する。なお、図５〜８においては、図を簡略化するために移動ユニット（シリンダロッド）の構成を省略している。  先ず、射出成形ユニット１０において、型締めにより形成された空間内に、射出装置１２から樹脂を射出してプリフォーム５を製造する（ステップＳ１０１）。
【００５５】  続いて、搬送手段３０によりプリフォーム５を温調ユニット１５へ搬送する。温調ユニット１５において、プリフォーム５の全体が均一な温度分布であって、延伸ブローするための適した温度に近付けるための温度調整を行う（ステップＳ１０２）。
【００５６】  連続ブロー成形ユニット２０において、金型ユニット５０を開いた状態にし、図示を省略する移動ユニット６０のシリンダロッドを前方側へ伸ばすことにより、金型ユニット５０の第一金型部５２がプリフォーム５を熱処理ブローする位置にくるようにする（図５のａ１０１，ｂ１０１参照）。
【００５７】  続いて、プリフォーム５を支持する支持部４０を移動させて、温調処理されたプリフォーム５を第一金型部５２の第一空間５３内に配置する（ステップＳ１０３、図５のａ１０２，ｂ１０２参照）。
【００５８】  続いて、金型ユニット５０を型締めするとともに、底型６２をわずかに上昇させて第一金型部５２に連結させる（図５のａ１０３，ｂ１０３参照）。加熱装置により、第一金型部５２の第一内壁面５４が第一温度（例えば170℃）に温度調節され、底型６２が例えば100℃に温度調整されている。次いで、ブローコア型３５および延伸ロッド３６を下降させ、ブローコア型３５からプリフォーム５内にブローエアーを導入するとともに、延伸ロッド３６を第一空間５３のストロークに合わせて延ばし、第一金型部５２内においてプリフォーム５を中間成形体６に熱処理ブロー成形する（ステップＳ１０４、図５のａ１０３参照）。
【００５９】  続いて、熱処理ブローした金型ユニット５０を型開きするとともに、底型６２をわずかに下降させる（図６のａ１０４，ｂ１０４参照）。同時に、延伸ロッド３６を上昇させて中間成形体６より取り除く。また、必要に応じて、ブローコア型３５も上昇させる。第一金型部５２内で熱処理ブローされた直後の中間成形体６の大きさは、第二金型部５６の第二空間５７よりも大きく形成される。金型ユニット５０を上記型開きすることで第一金型部５２から離型した中間成形体６は、縮小して第二金型部５６の第二空間５７と同等もしくは小さい大きさに変形する。
【００６０】  続いて、移動ユニット６０のシリンダロッドを後方側へ縮めることにより、金型ユニット５０を収容ユニット７０の移動空間７５内でスライド移動させて、金型ユニット５０の第二金型部５６が中間成形体６を最終ブローする位置にくるようにする（ステップＳ１０６、図６のａ１０５，ｂ１０５参照）。この場合、支持部４０は位置を移動せず、プリフォーム５を支持していた支持部４０の位置（図５のａ１０２，ｂ１０２参照）と、中間成形体６を支持する支持部４０の位置（図６のａ１０５，ｂ１０５）とは同じ位置で維持されている。
【００６１】  続いて、金型ユニット５０を型締めするとともに、底型６３をわずかに上昇させて第二金型部５６に連結させて、中間成形体６を第二金型部５６の第二空間５７内に収容する（図６のａ１０６，ｂ１０６参照）。温調装置により、第二金型部５６の第二内壁面５８が第二温度（例えば120℃）に温度調節され、底型６３が例えば100℃に温度調整されている。
【００６２】  続いて、延伸ロッド３６を下降させて（熱処理ブロー後にブローコア型３５を上昇させている場合は、ブローコア型３５も下降させる）、ブローコア型３５から中間成形体６内にブローエアーを導入するとともに、延伸ロッド３６を第二空間５７のストロークに合わせて延ばし、第二金型部５６内において中間成形体６を容器７に最終ブロー成形する（ステップＳ１０７、図７のａ１０７参照）。
【００６３】  続いて、最終ブローした金型ユニット５０を型開きするとともにブローコア型３５と延伸ロッド３６を上昇させ、底型６３をわずかに下降させる（図７のａ１０８，ｂ１０８参照）。金型ユニット５０を上記型開きすることにより、容器７が第二金型部５６から離型する。支持部４０を上昇させて、支持部４０に支持されている容器７を回収する（ステップＳ１０８）。
【００６４】  続いて、移動ユニット６０のシリンダロッドを前方側へ伸ばすことにより、金型ユニット５０を収容ユニット７０の移動空間７５内でスライド移動させて、金型ユニット５０の第一金型部５２がプリフォーム５を熱処理ブローする位置にくるブロー成形の開始状態に戻す（ステップＳ１０９、図７のａ１０９，ｂ１０９参照）。なお、前述した第一金型部５２と底型６２との連結や第二金型部５６と底型６３との連結にかかる動作は、要求される成形条件に応じ、ブローコア型３５によるブローエアーの導入や延伸ロッド３６の伸長開始された後に実施しても良い。
【００６５】  次に、図８、９を参照して、底型６２、６３を昇降させる機構について説明する。  図８は、底型６２、６３を昇降させる機構を説明する図である。図８に示すように、昇降装置８０は、連結ロッド８１と、被連結ロッド８２と、を備えている。連結ロッド８１は、軸部８１ａと、軸部の８１ａの上端に設けられたフランジ部８１ｂと、を有し、その部位の鉛直断面は略Ｔ字状、水平断面は略円形状になっている。連結ロッド８１は、金型ユニット５０の型閉じライン（パーティングライン）に沿って少なくとも１本配置され、図示せぬ機械側のアクチュエータに固定されていて、上下方向に沿って昇降可能である。
【００６６】  被連結ロッド８２は、鉛直下方に垂下しており、軸部８２ａと、被連結ブロック８２ｂと、を有している。軸部８２ａの上端は、底型固定板８３の下面に固定されている。底型固定板８３の上面には底型６２（または底型６３）が固定されている。また、可動板６６に固定された昇降案内ブロック８４の上面に上方移動可能に載置されている。被連結ブロック８２ｂは、軸部８２ａの下端に固定されており、略直方体状の外観を有している。被連結ブロック８２ｂの一側面には、金型ユニット５０の型閉じ動作に伴い、連結ロッド８１が横方向（型開閉方向、図の右または左方向）からスライドイン（進入）することが可能な空間を形成する窪み８２ｃが設けられている（図９（ａ）参照）。窪み８２ｃは、その側面方向（横方向）からは略Ｔ字状に見える形状であり、下面方向（図の下方向）からは外縁８２ｄが略Ｕ字状に見える形状をしている。被連結ロッド８２は、昇降案内ブロック８４のガイド孔８４ａを貫通している。なお、被連結ロッド８２、底型固定板８３および昇降案内ブロック８４は、第一金型５２と第二金型５６とに別途独立して設けられ、それら金型と共に一体でスライド移動させられる。しかし、ほぼ同一の構造であるため、ここでは同じ番号を付与している。
【００６７】  なお、図１０（ａ）〜（ｂ）に示されるように、型開閉動作にかかる汎用性や利便性の向上を目的とし、連結ロッド８１が被連結ロッド８２の両側面（図の左と右の両方向）からスライドイン（進入）できるよう、窪み８２ｃが、被連結ブロック８２ｂの一側面からその対向側面までを貫通する略Ｔ字状の形状になっていても良い。このとき、窪み８２ｃの外縁８２ｄは、窪み８２ｃが設けられない側面に対して平行に延在する略直線状の形状になる。
【００６８】  上記の構成の昇降装置８０は、底型６２、６３を、上段と下段の二位置間で昇降させる。  まず、金型ユニット５０が型開きするとき、連結ロッド８１は、図８（ａ）に示す待機位置（下段位置）に配置されている。このとき、第一金型５２と第二金型５６がスライド移動させられる。次に、金型ユニット５０の各割型が閉じられた状態になるとき、連結ロッド８１のフランジ部８１ｂが被連結ロッド８２の窪み８２ｃに横方向から入り込んで嵌合し、連結ロッド８１と被連結ロッド８２とが連結された状態（連結位置、図８（ｂ）、図９（ｂ）参照）となる。このあと、連結ロッド８１が、アクチュエータの駆動力で上方に昇降され、被連結ロッド８２が固定された底板固定板８３および底型６２、６３がブロー成形時の位置（上段位置）へ移動する（図８（ｃ））。このようにして、底型６２，６３が待機位置（下段位置）からブロー成形時の位置（上段位置）へ移動（上昇）することが完了する。ブロー成形終了後は、底型６２、６３を下段位置へと移動（下降）させ、金型ユニット５０を型開きして連結ロッド８１と被連結ロッド８２との連結を解除して、再度、金型ユニット５０のスライド移動を行う。
【００６９】  なお、本実施形態では、収容ユニット７０内で金型ユニット５０（第一金型部５２、第二金型部５６）がスライドする構成のため、上述の二段階移動式が採用されているが、その様な構成でない場合、連結ロッド８１が干渉し得る部材が装置内に存在することがありうる。例えば、移動ユニット６０が収容ユニット７０に設けられておらず、ブロー成形装置１の機台（静止部位）に設置されているような場合で、第一金型部５２と第二金型部５６とが型締め装置に常時連結されておらず、順次スライドインするような構成がありえる。このような場合、図１１（ａ）〜（ｄ）に示すように、下段-中段-上段の三位置間からなる移動方式を採用しても良い。図１１（ａ）に示す下段位置では、連結ロッド８１は、型締め装置の他の部材と干渉しない位置となっている。よって、連結ロッド８１が下段位置で待機しているときに金型ユニット５０のスライド移動を行い、そのスライド移動が終了した後、連結ロッド８１は図１１（ｂ）に示す中段位置へと移動（上昇）する。中段位置に移動した以降の動作は、図８の例と同様の方法で底型６２、６３が昇降できるようになる（金型ユニット５０の各割型が閉じた際に図１１（ｃ）の連結位置になり、ブロー成形時に図１１（ｄ）の上段位置へと移動（昇降）させられる）。なお、ブロー成形終了後は、金型ユニット５０が閉じた状態で底型６２,６３をいったん中段位置まで移動（下降）させた後、型開きして連結ロッド８１と被連結ロッド８２との連結を解除する。次いで、下段位置まで連結ロッドを移動（下降）させた後、金型ユニット５０のスライド移動を再び実施する。  このように、昇降装置８０により、金型ユニット５０がスライドする構造であっても、そのスライドする方向と直交する上下方向に沿って底型６２、６３の昇降を可能にしている。
【００７０】  ところで、１ステージ・１ブロー方式と称されるように、熱処理ブローと最終ブローとを同時ブローする方式では、ブロー後の収縮や金型への張り付き等の影響を考慮すると、ブロー型をあまり高温に設定することはできなかった（例えば１３０℃程度でしかブローできなかった。）。この結果、１ステージ・１ブロー方式で製造されたペットボトルは、２ステージ・２ブロー方式で製造されたペットボトルと比べて、ペットボトルの結晶化密度があまり高くならない。また、ブロー成形時に生じるペットボトルの歪（残留応力）も多くなる。
【００７１】  一方、２ステージ・２ブロー方式の装置では、耐熱性の高いペットボトルを製造できるものの、プリフォームを一旦自然冷却した後にブロー適温まで加熱部で加熱する必要があるため、エネルギー効率が低くなる。また、２ステージ・２ブロー方式では装置が大型化し、設備スペースも広く確保することが必要となる。例えば、型締め機構やブロー機構を２つ設置しなければならない。
【００７２】  これに対し、本実施形態の金型ユニット５０、ブロー成形装置１、及びブロー成形方法によれば、プリフォーム５を射出成形した後に、プリフォーム５の熱処理ブローと、中間成形体６の最終ブローとを別々に連続して行う１ステージ・２ブロー方式を採用している。このため、射出成形ユニット１０で製造されたプリフォーム５が、室温まで冷却されることなく熱処理ブローされるので、プリフォーム５をブロー適温まで再加熱するエネルギーを要さず、エネルギー効率を向上させることができる。
【００７３】  また、本例の１ステージ・２ブロー方式の構成によれば、２ステージ・２ブロー方式と比較して、ブロー成形装置１を小型化することが可能であり、ブロー成形装置１の設備コストの低減することができ、また、設置スペースを小さくすることができる。例えば、型閉め機構が一つで済む他、ブロー成形装置１の設置も一回で済む。また、射出成形、熱処理ブロー、及び最終ブローを短時間で実行することができ、繰り返し処理することができる。
【００７４】  また、一つの金型ユニット５０内において第一金型部５２と第二金型部５６とが別々に規定されているため、第一金型部５２でプリフォーム５を熱処理ブローする工程を、次に連続して実行される中間成形体６を第二金型部５６で最終ブローする工程とは独立して実行することができる。このため、熱処理ブローで使用する第一温度を、最終ブローで使用する第二温度（例えば120℃）よりも高い温度、例えば樹脂の結晶化を促進させる温度（例えば170℃）に設定することができ、十分な耐熱性が付与された容器７を製造することができる。また、金型ユニット５０内において第一金型部５２と第二金型部５６とが隣接して配置されているため、熱処理ブローと最終ブローとを連続して実行することができる。このように、熱処理ブローと最終ブローとを別々に連続して行なうことできるため、中間成形体６に対して温度低下を回避するための温調等の処理をする必要が無く、エネルギー効率を向上させることができる。なお、「十分な」耐熱性とは、例えば、殺菌目的で高温にされた約９０℃以上の液体を充填した場合にも、収縮変形がほとんど生じない程度の耐熱性を意味する。
【００７５】  射出成形ユニット１０で製造された直後のプリフォーム５では、射出時の熱の影響で、プリフォーム５上の温度分布に偏りがあることがある。これに対して上記構成では、射出成形されたプリフォームに対して温調処理を行ない、温度分布に偏りが少ないプリフォーム５に対して熱処理ブローが行なわれるため、中間成形体６や最終の容器７上において生じ得る偏温を小さくすることができ偏肉が生じにくくなる。
【００７６】  また、移動ユニット６０を介して金型ユニット５０の位置を、プリフォーム５を熱処理ブローする位置から中間成形体６を最終ブローする位置へとスライド移動させることができるため、熱処理ブローする工程と、最終ブローする工程とを別々にさらにスムーズに連続して行なうことができる。
【００７７】  また、スライド移動される金型ユニット５０が収容ユニット７０内に収容されているため、金型ユニット５０を外部から保護することができ、各工程において金型ユニット５０の位置ずれに起因する不具合が発生しにくくなる。
【００７８】  また、収容ユニット７０には、金型ユニット５０の位置を位置決めする位置決め部７３が設けられているため、金型ユニット５０の位置が精度よく位置決めされる。そのため、各工程において位置ずれに起因する不具合が発生しにくくなる。
【００７９】  第一金型部５２の第一空間５３は第二金型部５６の第二空間５７より大きく形成されているので、熱処理ブローの際に、熱処理ブロー後の収縮も考慮して、プリフォーム５を大きめにブロー成形することができる。
【００８０】  したがって、上記構成によれば、エネルギー効率の向上と耐熱性能の向上とを両立させることが可能な金型ユニット５０、ブロー成形装置１、及びブロー成形方法を提供することができる。
【００８１】  なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００８２】  例えば、上記の例では、第一金型部５２と第二金型部５６は、それぞれ１つずつであったが、この例に限られない。  （変形例）  次に、図１２（ａ）〜（ｃ）を参照して、上記連続ブロー成形ユニット２０の変形例について説明する。  図１２（ａ）に示すように、変形例に係る連続ブロー成形ユニット２０Ａは、金型ユニット５０が第一金型部５２と第二金型部５６とをそれぞれ複数（本例では３個ずつ）有している。また、３個の第一金型部５２が連続して配置された隣に３個の第二金型部５６が連続して配置される構成とされている。また、プリフォーム５を支持する支持部４０も３個連続して設けられている。この場合、第一金型部５２内でプリフォーム５を熱処理ブローした後、第二金型部５６内で中間成形体６を最終ブローするために、収容ユニット７０の移動空間７５内を金型ユニット５０がスライド移動する距離は、第一金型部５２および第二金型部５６が連続して設けられている金型部３個分となる。
【００８３】  図１２（ｂ）に示すように、変形例に係る連続ブロー成形ユニット２０Ｂは、金型ユニット５０が有する３個の第一金型部５２と３個の第二金型部５６とが、１個ずつ交互に配置される構成とされている。また、プリフォーム５を支持する支持部４０が各金型部の配置と合うように１個おきに３個設けられている。この場合、プリフォーム５を熱処理ブローした後、中間成形体６を最終ブローするために、収容ユニット７０の移動空間７５内を金型ユニット５０がスライド移動する距離は、隣接する金型部間のピッチである金型部１個分となる。
【００８４】  図１２（ｃ）に示すように、変形例に係る連続ブロー成形ユニット２０Ｃは、３個の第一金型部５２を有する金型ユニット５０Ａと、３個の第二金型部５６を有する金型ユニット５０Ｂとが、並列に配置される構成とされている。この場合、金型ユニット５０Ａ，５０Ｂはスライド移動しない構成となっている。第一金型部５２内でプリフォーム５を熱処理ブローする場合、図に示すように金型ユニット５０Ａが型開きして、図示を省略する３個の支持部４０が移動するとともに、支持するプリフォーム５を第一金型部５２の第一空間５３内に配置させる。続いて、第二金型部５６内で中間成形体６を最終ブローする場合、金型ユニット５０Ｂが型開きして、支持部４０が移動するとともに、支持する中間成形体６を第二金型部５６の第二空間５７内に配置させる。
【００８５】  上記変形例の連続ブロー成形ユニット２０Ａ〜２０Ｃによれば、エネルギー効率の向上と耐熱性能の向上とを両立させることが可能であるとともに、一度に複数の容器をブロー成形できる金型ユニット、ブロー成形装置及びブロー成形方法を提供することができる。
【００８６】  例えば、上記形態では１ステージ方式と称される金型ユニット、ブロー成形装置、及びブロー成形方法で使用する場合を説明したが、この形態に限定されず、例えば１．５ステージ方式と称されるものにも応用可能である。また、金型ユニット５０をスライド移動させる移動ユニット６０についても、収容ユニット７０の代わりにブロー成形装置１の何れかの静止部位（例えば機台）に設置させても良い。
【００８７】  本発明を詳細にまた特定の実施態様を参照して説明したが、本発明の精神と範囲を逸脱することなく様々な変更や修正を加えることができることは当業者にとって明らかである。  本出願は、2015年10月29日出願の日本特許出願・出願番号2015-213192に基づくものであり、その内容はここに参照として取り込まれる。
【符号の説明】
【００８８】１：ブロー成形装置、５：プリフォーム、６：中間成形体、７：容器、１０：射出成形ユニット（射出成形部）、１２：射出装置、１５：温調ユニット（温調部）、２０：連続ブロー成形ユニット（ブロー成形部）、２５：取り出しユニット（取出し部）２５、３０：搬送手段、４０：支持部、５０：金型ユニット、５２：第一金型部、５３：第一空間、５４：第一内壁面、５６：第二金型部、５７：第二空間、５８：第二内壁面、６０：移動ユニット、６２，６３：底型、６６：可動板、７０：収容ユニット、７２：側壁部、７３：位置決め部、７５：移動空間
【図１】
2017073685.tif 000003
【図２】
2017073685.tif 000004
【図３】
2017073685.tif 000005
【図４】
2017073685.tif 000006
【図５】
2017073685.tif 000007
【図６】
2017073685.tif 000008
【図７】
2017073685.tif 000009
【図８】
2017073685.tif 000010
【図９】
2017073685.tif 000011
【図１０】
2017073685.tif 000012
【図１１】
2017073685.tif 000013
【図１２】
2017073685.tif 000014
【国際調査報告】
2017073685.tif 000015
2017073685.tif 000016